(57)【要約】  【課題】開蓋が容易で所持形態の多様化も図ることのできる振り出し容器を提供する。  【手段】底部材３と蓋部材４とを嵌め合わせて中空に構成されたケース本体１を備えており、底部材３の上部には屈曲自在なヒンジ部６を介して椀状のキャップ２が一体に連結されている。ケース本体１の上部にはキャップ２が被さるヘッド部７が形成されており、ヘッド部７に蓋部材４が空いている。ヘッド部７は部分的に切欠かれており、切欠き部１４の箇所に位置した底部材３の露出壁部３ａに穴１６を空け、これに紐１５を通している。キャップ２を大きくできるため開蓋が容易であり、また、紐１５を利用して所持形態及び陳列形態を多様化できる。【選択図】        図１
2006008165.tif 000002
【特許請求の範囲】
【請求項１】
相対向するように開口したトレー状の蓋部材と底部材とをその縁部において嵌め合わせることによって中空に形成されたケース本体を備えており、このケース本体のうち両部材の重合ラインに沿って延びる外周部の一部に振り出し口が開口しており、更に、前記底部材のうち振り出し口の近傍に、前記振り出し口を塞ぐキャップが屈曲自在なヒンジ部を介して連結されている合成樹脂製の振り出し容器であって、
前記ヒンジ部は両部材の重合ラインと略平行に延びている一方、前記キャップは椀状又はカップ状に形成されており、ケース本体には前記キャップが被さるヘッド部を形成し、このヘッド部に前記振り出し口を形成している、
振り出し容器。
【請求項２】
前記蓋部材及び底部材は共に浅いトレー状に形成されており、このためケース本体は扁平状の形態を成しており、前記キャップには振り出し口に嵌入する中栓を一体に形成している一方、前記蓋部材には、人が開蓋するに際してキャップの先端縁に指を掛けるための凹所を形成し、底部材のうちヘッド部の近傍には紐や鎖を取付けできる穴が形成されている、
請求項１に記載した振り出し容器。
【発明の詳細な説明】
【技術分野】
【０００１】
本願発明は、粒状や顆粒状の物品を包装するのに好適な振り出し容器に関するものである。
【背景技術】
【０００２】
例えば口中清涼剤のような錠剤類を包装するために合成樹脂製の振り出し容器が使用されている。この振り出し容器は、振り出し口を有するケース本体と、ケース本体の振り出し口を塞ぐキャップとを備えており、ケース本体の構造から分類すると、ケース本体が一体構造になっているタイプと、ケース本体が２つの部材を嵌め合わせて構成されているタイプとに分けられる。
【０００３】
そして、後者のタイプとして、特許文献１には、ケース本体をトレー状の底部材と蓋部材とを結合するにおいて、一方の部材にはボス部の群を、他方の部材にはボス部に嵌まる筒部の群をそれぞれ相対向するように形成し、両部材の縁部を重ねた状態で筒部の群とボス部の群とを強制嵌合させ、更に、底部材に振り出し口を塞ぐヒンジキャップを一体成形することが記載されている。
【特許文献１】特開平９−３１５４６８号公報
【発明の開示】
【発明が解決しようとする課題】
【０００４】
ケース本体を一体成形した構造では、射出成形法で製造するに際しての型抜きの点からケース本体の形状が制限を受けるのに対して、ケース本体を蓋部材と底部材との嵌め合わせ構造にすると、ケース本体は様々の平面形状にすることができる利点や、蓋部材と底部材との色彩を変えて見栄えを良くできる利点等がある。また、振り出し口の開閉手段としてヒンジキャップを採用すると、構造が簡単になる利点がある。
【０００５】
しかして、特許文献１では、ケース本体の外周部の一部に、当該外周部の一部を切欠いた状態で振り出し口を形成しており、ヒンジキャップも振り出し口の大きさに合わせているが、これではヒンジキャップが小さいため、人が指先をヒンジキャップに当てて開くに際してヒンジキャップを起こしにくいという問題があった。
【０００６】
また、この種の振り出し容器を人が持ち運ぶ場合、ポケットに入れたりバッグに入れたりすることが多いが、取り出すに際して手が滑って落としてしまうこともあった。
【０００７】
本願発明は、このような現状を改善することを課題とするものである。
【課題を解決するための手段】
【０００８】
前記課題を達成するため請求項１の発明は、相対向するように開口したトレー状の蓋部材と底部材とをその縁部において嵌め合わせることによって中空に形成されたケース本体を備えており、このケース本体のうち両部材の重合ラインに沿って延びる外周部の一部に振り出し口が開口しており、更に、前記底部材のうち振り出し口の近傍に、前記振り出し口を塞ぐキャップが屈曲自在なヒンジ部を介して連結されている合成樹脂製の振り出し容器において、前記ヒンジ部は両部材の重合ラインと略平行に延びている一方、前記キャップは椀状又はカップ状に形成されており、ケース本体には前記キャップが被さるヘッド部を形成し、このヘッド部に前記振り出し口を形成している。
【０００９】
なお、キャップの形状としての椀状又はカップ状とは、キャップがどの断面で見ても凹状に湾曲していることを意味する。キャップがこのような椀状又はカップ状であることにより、断面係数が大きくて強度に優れている。
【００１０】
請求項２の発明は、請求項１において、前記蓋部材及び底部材は共に浅いトレー状に形成されており、このためケース本体は扁平状の形態を成しており、前記キャップには振り出し口に嵌入する中栓を一体に形成している一方、前記蓋部材には、人が開蓋するに際してキャップの先端縁に指を掛けるための凹所を形成し、底部材のうちヘッド部の近傍には紐や鎖を取付けできる穴が形成されている。
【発明の効果】
【００１１】
本願発明によると、キャップは振り出し口が形成されているヘッド部を覆うように構成されているため、キャップの大きさを振り出し口の大きさよりも大きくでき、このため、キャップに対する指の引っ掛かりを良くして開蓋を軽快に行うことができる。
【００１２】
特に、請求項２のように構成すると、蓋部材に形成した凹所の箇所でキャップの先端縁に指先を当ててキャップを起こすことができるため、出っ張りのないすっきりしたデザインでありながらキャップを容易に起こすことができて、特に好適である。
【００１３】
また、請求項２のように構成すると、ケース本体に取付けた紐を人が手で持つことにより、容器を落としてしまうことを防止できる。また、例えば紐をループ状に形成して人が首に掛けたり、紐を手首に巻いたり、或いは紐をバッグのベルト等に引っ掛けたりといったことも可能であり、振り出し容器の所持形態の多様化を図ることができる。更に、商店で陳列するにおいて紐を陳列用フックに引っ掛けるといったことも可能で、陳列態様の豊富化にも貢献できる。
【発明を実施するための最良の形態】
【００１４】
次に、本願発明の実施形態を図面に基づいて説明する。
【００１５】
(1).第１実施形態（図１〜図４）
図１〜図４では第１実施形態を示している。図１（Ａ）は開蓋状態の斜視図、図２のちう（Ａ）は正面図、（Ｂ）は背面図、（Ｃ）は平面図、（Ｄ）は底面図、（E ）は左側面図、（Ｆ）は右側面図、図３のうち（Ａ）は開蓋状態の正面図、（Ｂ）は（Ａ）のＢ−Ｂ視断面図、（Ｃ）は（Ａ）のＣ−Ｃ視断面図、（Ｄ）は（Ａ）のＤ−Ｄ視断面図である。
【００１６】
振り出し容器は全体として扁平に近くて空豆状の正面形態を成しており、ケース本体１とキャップ２とを備えている。ケース本体１は、相対向するように開口した浅いトレー状の底部材３と蓋部材４とを嵌め合わせることによって中空に形成されており、このためケース本体１には両部材３，４の合わせ面を構成する重合ライン５が全周にわたって延びている。
【００１７】
両部材３，４は例えばポリプロピレンのような合成樹脂を素材とした射出成形法によって製造されており、底部材３の上端部には、略椀状のキャップ２が屈曲自在なヒンジ部６を介して一体に連結されている。また、ケース本体１の上部には、キャップ２で被われるヘッド部７を形成しており、このヘッド部７に上向きに開口した振り出し口８を形成している。ヒンジ部６は、平面視で両部材３，４の重合ライン５と平行（又は略平行）に延びている。
【００１８】
本実施形態では、振り出し口８は両部材３，４の縁部を切欠いた状態に形成されているが、片方の部材のみを切欠いた態様でも良い。また、複数の振り出し口を設けることも可能である。また、本願発明では振り出し口８はヘッド部７の端部にずらした状態で形成しているが、ヘッド部７の左右中間部に配置することも可能である。
【００１９】
なお本明細書では容器の構成を特定するために便宜的に「上」「下」の用語を使用するが、振り出し口を設けている部分が上である。
【００２０】
キャップ２は、閉じた状態でその外面がケース本体１の外面と滑らかに連続するように設定しており、このため、ケース本体１のうちヘッド部７とその連設部との間にはキャップ２と略同じ厚さ寸法の段差９が形成されている。或いは、段差９を設けることによってヘッド部７が形成されているといっても良い。また、蓋部材４には、指でキャップ２を起こすための凹所１０を形成している。このため凹所１０の箇所では段差９は消えている。
【００２１】
キャップ２を閉じ状態に保持する係止手段の一例として、キャップ２の先端部（自由端部）に内向き突起１１を設ける一方、蓋部材４には外向きに開口した係合溝１２を形成している。また、キャップ２には、振り出し口８にきっちり嵌合する中栓１３を一体に設けている。
【００２２】
ヘッド部７は振り出し口８と反対側の部分において部分的に切欠かれた形状になっており、切欠き部１４の箇所で底部材３の上部を露出壁部３ａと成し、この露出壁部３ａに紐１５を通すための２つの穴１６が空けられている。キャップ２の端面は底部材３の露出壁部３ａの端面に重なるようになっており、このため、露出壁部３ａの端面は段差９と連続している。図２（Ｅ）（Ｆ）に示すように、露出壁部３ａと段差９とは、側面視で両部材３，４の重合ライン５を斜めに横切る方向に延びている。従って、切欠き部１４はキャップ２で覆われている。
【００２３】
なお、紐１５を通すための穴１６は１つでも良く、また、紐や鎖の取付け手段は穴には限らず、例えば図１（Ｂ）に変形例として示すようにフック方式とすることも可能である（この図１（Ｂ）の場合、紐１５は予めループ状に結んでおいて、フック１７には弾性変形を利用して嵌め込めば良い）。
【００２４】
図３（Ｂ）では、キャップ２を底部材３の広巾面に対して約６０°程度開いており、底部材３はこの状態に成形される。また、底部材３を成形する金型は一点鎖線で示す矢印Ａの方向に相対動（型締め・型開き）するものであり、ヒンジ部６を成形を可能とするため、キャップ２を開いた状態で、当該キャップ２の付け根部と底部材３の上端部との間には側面視で外向きに開口した空間１８が空いている。
【００２５】
見方を変えて述べると、空間１８を空けた状態で成形することにより、キャップ２を椀状に形成しつつヒンジ部６を形成することが可能ならしめられているのである。そして、図２（Ｅ）（Ｆ）に示すように、キャップ２を閉じた状態では  ヒンジ部６を挟んだ上下の部分は側面視で鈍角に広がっている。
【００２６】
本実施形態の振り出し容器は、扁平状でなおかつ丸みを帯びた形態をデザインのコンセプトとしており、このため正面形状を空豆状となし、かつ、蓋部材４の表面は全体にわたって緩く湾曲させている。他方、底部材３は、その外周寄りの部分は湾曲した断面形状とししつ、中央部側のある程度の範囲は平坦部と成している（平坦部の範囲を図３（Ｂ）（Ｄ）において符号３ｂで示している）。このため、振り出し容器は底部材３を下にした状態でテーブル等の平坦面に安定した状態に置くことができる）。
【００２７】
図４のうち（Ａ）は底部材３の正面図、（Ｂ）（Ｃ）は（Ａ）のＢ−Ｂ線、Ｃ−Ｃ線の箇所でケース本体１を切断した断面図であり、この図４から容易に理解できるように、底部材３のうち周縁部３ｃのやや内側には、蓋部材４の内部に向けて突出する内壁１９が、ヘッド部７及び切欠き部１４を除いて全周にわたって延びるように形成されている一方、蓋部材４には、底部材３の周縁部３ｃと内壁１９との間の溝状部２０に嵌まる凸条２１を突設している。
【００２８】
そして、底部材３と蓋部材４と分離不能に保持する係合手段の一例として、底部材３の内壁１９には外向き開口の係合溝２２を周方向に沿って飛び飛びの状態で複数箇所設ける一方、蓋部材４の凸条２１には、弾性に抗しての変形によって係合溝２２に嵌合する係合突起２３を形成している。蓋部材４の凸条２１が底部材３の周縁部３ｃと内壁１９との間にきっちり嵌入しているため、ケース本体１は高いシール性を確保できる。
【００２９】
ところで、ケース本体１に振り出し容器に内容物を充填する方法としては、ケース本体１を組み立てた状態で振り出し口８から充填する方法と、寝かせた姿勢の底部材３に内容物を充填してから蓋部材４を嵌め込む方法との２つの方法がある。
【００３０】
そして、後者の方法は作業能率に優れている利点を有するが、底部材３と蓋部材４との深さが同じ程度であると、内容物が零れ出るのを防止するためには充填量がケース本体１の全体の容量よりも相当に少なくなり、充填効率が悪いという問題がある。この点については、底部材３の深さを深くして蓋部材４の深さを浅くすれば良いと考えられるが、これでは重合ライン５の位置が蓋部材４の表面側に偏るため美感に劣るという問題や、ヘッド部７を形成し難くなるという問題がある。
【００３１】
この点について、本実施形態のように、底部材３にその周縁部３ｃからはみ出る高さの内壁１９を設けると、両部材３，４の重合ライン５はケース本体１の約半分程度の厚さ位置に保持しつつ底部材３の容量を大きくできるため、図３（Ｄ）に一点鎖線Ｂで示すように多くの両の内容物を底部材３に充填した状態で蓋部材４を嵌着することができる。このため、美感を保持しつつ充填効率を向上できる利点がある。
【００３２】
また、底部材３に内容物を充填する作業では、底部材３は上向き開口した状態でテーブル等の平坦面に載せることになるが、既述のとおり底部材３に広い面積の平坦部３ｂがあるため、底部材３を安定良く保持して充填作業を支障無く行える利点がある。なお、内壁１９と凸状２１とはケース本体１の全周にわたって延びていても良いし、断続的であっても良い。
【００３３】
閉蓋状態ではキャップ２がヘッド部７で抱持されているため、両部材３，４はヘッド部７の箇所において互いに嵌合し勝手に保持されており、このため嵌合強度が優れている利点がある。キャップ２を空け易くする手段としては、蓋部材４に凹所１０を形成することに代えて（又はこれに加えて）、キャップ２の先端部の外面に凹所や突起、ローレット部等の起こし補助手段を形成することも可能である。
【００３４】
ケース本体１に紐を取付ける必要がない場合は底部材３に露出壁部３ａを設ける必要はない。この場合は、ヘッド部７は左右対称状に形成し、段差９がヒンジ部６と凹所１０とを除いたヘッド部７の全周にわたって延びるように形成したら良い。
【００３５】
(2).他の実施形態（図５）
図５では他の実施形態を示している。このうち（Ａ）（Ｂ）に示すのは第２実施形態であり、（Ａ）は正面図、（Ｂ）は右側面図である。この実施形態では振り出し容器を全体として卵形に形成している。詳細は省略するが、キャップ２は椀状に形成されており、ケース本体１の上部にはヘッド部７を形成している。
【００３６】
図５（Ｃ）（Ｄ）に示すのは第３実施形態であり、（Ｃ）は正面図、（Ｄ）は平面図である。この実施形態ではケース本体１は全体として四角形に形成されており、その１つのコーナー部にヘッド部７とキャップ２とを設けている。また、他の１つのコーナー部に紐を通すための穴１６を空けている。
【００３７】
(3). その他
本願発明の具体例は上記の実施形態に限定されるものではなく、更に様々の態様に具体化できる。例えば容器の形状（正面形状）は、円形や三角形、扇形、台形、六角形（多角形）等の任意の形状を選択できる。
【００３８】
また、容器は必ずしも扁平状である必要はない。また、底部材と蓋部材とを例えばキャップと反対側の部分においてヒンジ部を介して一体に連結した構造とすること（すなわち、底部材と蓋部材とを一体成形すること）も可能である。
【図面の簡単な説明】
【００３９】
【図１】（Ａ）は第１実施形態の開蓋状態での斜視図、（Ｂ）は紐の取付け手段の別例断面図である。
【図２】正面図、背面図、平面図、底面図、左右側面図である。
【図３】（Ａ）は開蓋状態の正面図、（Ｂ）〜（Ｄ）は（Ａ）のＢ−Ｂ視、Ｃ−Ｃ視、Ｄ−Ｄ視断面図である。
【図４】Ａ）は底部材の正面図、（Ｂ）（Ｃ）は（Ａ）のＢ−Ｂ線、Ｃ−Ｃ線の箇所でケース本体を切断した断面図である。
【図５】第２実施形態及び第３実施形態を示す図である。
【符号の説明】
【００４０】
１  ケース本体
２  キャップ
３  底部材
４  蓋部材
５  重合ライン
６  ヒンジ部
７  ヘッド部
８  蓋部材
９  ヘッド部を画定する段差
１３  中栓
１５  紐
１６  紐を取付けるための穴
【図１】
2006008165.tif 000003
【図２】
2006008165.tif 000004
【図３】
2006008165.tif 000005
【図４】
2006008165.tif 000006
【図５】
2006008165.tif 000007